(57)【特許請求の範囲】
【請求項１】
設計思考パターンごとに予め作成された、設計思考パターンに基づく基本フローを記憶する第１の記憶手段と、
前記第１の記憶手段により記憶されている前記基本フローを表示する表示手段と、
前記基本フローに含まれる複数の工程のうちのいずれかの工程の前後に、副次的フローを挿入する際の挿入先の選択を受け付ける挿入先選択受付手段と、
前記挿入先選択受付手段により選択が受け付けられた挿入先に、前記副次的フローを挿入する挿入手段と、
前記挿入手段により挿入された前記副次的フローに記述するフローの内容情報の入力を受け付けるフロー内容情報入力受付手段と、
前記フロー内容情報入力受付手段により入力が受け付けられたフロー内容情報が記述された前記副次的フローを、前記基本フローに関連付けて設計思考パターンに基づくフローとして記憶する第２の記憶手段と、
前記挿入手段により挿入先に挿入される前記副次的フローの種類および数の指定を受け付ける副次的フロー指定受付手段と、
を備え、
前記表示手段は、前記基本フローに付加された前記副次的フローを、前記基本フローの色調と異なる色調で表示し、
前記挿入手段は、前記副次的フロー指定受付手段により指定が受け付けられた種類および数の前記副次的フローを、前記挿入先に挿入することを特徴とする情報処理装置。
【請求項２】
前記第２の記憶手段により記憶されている複数の設計思考パターンに基づくフローの中から、いずれかの前記設計思考パターンに基づくフローを検索するための検索項目情報の入力を受け付ける検索項目情報入力受付手段と、
前記検索項目情報入力受付手段により入力が受け付けられた前記検索項目情報に基づいて、前記第２の記憶手段により記憶されている複数の前記設計思考パターンに基づくフローの中から、いずれかの前記設計思考パターンに基づくフローを検索する検索手段とをさらに備え、
前記表示手段は、前記検索手段により検索された前記設計思考パターンに基づくフローを表示することを特徴とする請求項１記載の情報処理装置。
【発明の詳細な説明】
【技術分野】
【０００１】
本発明は情報処理装置に係り、特に、設計思考パターンに基づくフローを作成することができるようにした情報処理装置に関する。
【背景技術】
【０００２】
ある特定の技術内容に限った場合、熟練の設計者は、一般に、特定の技術内容に関する設計におけるノウハウとして、ある程度概念化された設計思考パターンを有しているものである。これに対して、設計初心者は、熟練の設計者と異なり、このような設計思考パターンを蓄積できておらず、多くの場合、ＯＪＴを通じて、設計思考パターンの背景にある設計知識を徐々に獲得し、設計思考パターンを蓄積していく。
【０００３】
近年、どのメーカに従事する設計者や技術者の間でも、技術承継やノウハウ承継などがそれほど適切に行われているわけではなく、技術承継やノウハウ承継を如何に効率的に、かつ適切に行うかが重要な問題となっている。
【０００４】
なお、設計思考パターンなどの形成過程を支援する技術が知られている（例えば特許文献１参照）。特許文献１に提案されている技術によれば、設計者が設計すべきものの要求、機能、および構造などの各思考形成過程を支援することが可能となる。
【特許文献１】特開２００１−９２８７２号公報
【発明の開示】
【発明が解決しようとする課題】
【０００５】
しかしながら、熟練の設計者を含む個々の設計者が有する設計思考パターンの背景となる設計知識は、一般的に曖昧で、かつ、表現し難いものである。そのため、設計過程の結果、最終的に製品として外在的または内在的に残る設計知識以外のものを、ノウハウとして設計初心者などに適切に承継することは困難であるという課題があった。また、中堅設計者や熟練の設計者が、経験により日々蓄積される設計知識を設計思考パターンとして概念化・一般化した上で記録していくことは困難であるという課題があった。
【０００６】
本発明は、このような状況に鑑みてなされたものであり、設計思考パターンに基づくフローを簡単に作成し、作成されたフローを適切に記録することができる情報処理装置を提供することを目的とする。
【課題を解決するための手段】
【０００７】
本発明の情報処理装置は、上述した課題を解決するために、設計思考パターンごとに予め作成された、設計思考パターンに基づく基本フローを記憶する第１の記憶手段と、前記第１の記憶手段により記憶されている前記基本フローを表示する表示手段と、前記基本フローに含まれる複数の工程のうちのいずれかの工程の前後に、副次的フローを挿入する際の挿入先の選択を受け付ける挿入先選択受付手段と、前記挿入先選択受付手段により選択が受け付けられた挿入先に、前記副次的フローを挿入する挿入手段と、前記挿入手段により挿入された前記副次的フローに記述するフローの内容情報の入力を受け付けるフロー内容情報入力受付手段と、前記フロー内容情報入力受付手段により入力が受け付けられたフロー内容情報が記述された前記副次的フローを、前記基本フローに関連付けて設計思考パターンに基づくフローとして記憶する第２の記憶手段と、前記挿入手段により挿入先に挿入される前記副次的フローの種類および数の指定を受け付ける副次的フロー指定受付手段と、を備え、前記表示手段は、前記基本フローに付加された前記副次的フローを、前記基本フローの色調と異なる色調で表示し、前記挿入手段は、前記副次的フロー指定受付手段により指定が受け付けられた種類および数の前記副次的フローを、前記挿入先に挿入することを特徴とする。
【発明の効果】
【００１０】
本発明によれば、設計思考パターンに基づくフローを簡単に作成し、作成されたフローを適切に記録することができる。
【発明を実施するための最良の形態】
【００１１】
以下、本発明の実施の形態について、図面を参照しながら説明する。
【００１２】
図１は、本発明に係る情報処理装置に適用可能なパーソナルコンピュータ１の内部の構成を表している。
【００１３】
図１に示されるように、ＣＰＵ１１は、ＲＯＭ１２に記憶されているプログラム、または記憶部１８からＲＡＭ１３にロードされたプログラムに従って各種の処理を実行する。ＲＡＭ１３にはまた、ＣＰＵ１１が各種の処理を実行する上において必要なデータなども適宜記憶される。
【００１４】
ＣＰＵ１１、ＲＯＭ１２、およびＲＡＭ１３には、バス１４を介して相互に接続されている。このバス１４にはまた、入出力インタフェース１５が接続される。
【００１５】
入出力インタフェース１５には、キーボード、マウスなどによりなる入力部１６、ＣＲＴ(Cathode Ray Tube)、ＬＣＤ(Liquid Crystal Display)などよりなるディスプレイ、並びにスピーカなどよりなる出力部１７、ハードディスクなどより構成される記憶部１８、モデム、ターミナルアダプタ、およびネットワークインタフェース（いずれも図示せず）などより構成される通信部１９が接続される。通信部１９は、図示せぬネットワークを介して図示せぬサーバなどとの間で通信処理を行う。
【００１６】
入出力インタフェース１５には、必要に応じてドライブ２０が接続され、磁気ディスク２１（フロッピディスクを含む）、光ディスク２２（ＣＤ−ＲＯＭ(Compact Disk-Read Only Memory）、ＤＶＤ(Digital Versatile Disk)を含む)、光磁気ディスク２３(ＭＤ(Mini-Disk)を含む)、あるいは半導体メモリ２４などが適宜装着され、それから読み出しコンピュータプログラムが、必要に応じて記憶部１８にインストールされる。
【００１７】
次に、図２のフローチャートを参照して、図１のパーソナルコンピュータ１における設計思考パターンに基づくフロー作成処理について説明する。この設計思考パターンに基づくフロー作成処理は、中堅設計者や熟練の設計者を含めた設計者が日々蓄積される設計知識を設計思考パターンとして概念化・一般化した上で記録していく場合に、設計者により入力部１６が操作されることにより、設計思考パターンに基づくフロー作成処理を開始するとの指示が受け付けられることで、開始される。なお、図２のフローチャートの場合、例えば図３に示されるような電波設計に関する設計思考パターンに基づく基本フローを設計者が参照しながら、パーソナルコンピュータ１に設計思考パターンに基づくフロー作成処理を実行させ、設計者自らが行った設計行為に対応するフローの記録（登録）が行われる。
【００１８】
ステップＳ１において、ＣＰＵ１１は、設計者により入力部１６が操作されることにより、設計思考パターンに基づくフロー作成処理を開始するとの指示が受け付けられたか否かを判定し、設計思考パターンに基づくフロー作成処理を開始するとの指示が受け付けられたと判定するまで待機する。
【００１９】
ステップＳ１においてＣＰＵ１１は設計思考パターンに基づくフロー作成処理を開始するとの指示が受け付けられたと判定した場合、ＣＰＵ１１はステップＳ２で、出力部１７を制御し、電波設計に関する設計思考パターンに基づく基本フローを表示させる。出力部１７は、ＣＰＵ１１の制御に従い、電波設計に関する設計思考パターンに基づく基本フローを表示する。例えば図３に示される、電波設計に関する設計思考パターンに基づく基本フローが出力部１７のディスプレイに表示される。
【００２０】
図３に示される基本フローの場合、ステップＳ２１に示される電波設計における基本情報の入力内容と、ステップＳ２４またはＳ３０に示される出力動作に至るまでの工程（ステップＳ２２乃至Ｓ２９までの工程）が予め基本フローとして作成されており、設計者は、自らが設計行為を行った際に、ステップＳ２２乃至Ｓ２９までの工程にてどのような判断をしたかを、パーソナルコンピュータ１に設計思考パターンに基づくフロー作成処理を実行させることで、記録（登録）させる。一般に、設計者が実際の製品に関して設計行為をする場合、設計者は基本フローには存在しない付随的な（副次的な）判断などを必要に応じて行うことが多い。そこで、以下に示される設計思考パターンに基づくフロー作成処理にて、基本フローには存在しない副次的フローの作成・記録を行う。
【００２１】
ステップＳ３において、ＣＰＵ１１は、設計者により入力部１６が操作されることにより、副次的フローを挿入する挿入先の選択が受け付けられたか否かを判定する。具体的には、例えば図３のステップＳ２５とステップＳ２６の工程の間にて、ステップＳ２６のリスク抜き出し工程の前提として、過去のリスクと現在のリスクを比較する「比較工程」が副次的フローとして挿入される場合を想定する。この場合、副次的フローを挿入する挿入先として、図３のステップＳ２５とステップＳ２６の工程の間が選択される。このとき、設計者により入力部１６が操作されることにより、副次的フローを挿入する挿入先の選択が受け付けられたと判定される。
【００２２】
ステップＳ３においてＣＰＵ１１が副次的フローを挿入する挿入先の選択が受け付けられたと判定した場合、ＣＰＵ１１はステップＳ４で、設計者により入力部１６が操作されることにより、挿入する副次的フローの種類および数の指定を受け付ける。具体的には、例えば図３のステップＳ２５とステップＳ２６の工程の間にて、ステップＳ２６のリスク抜き出し工程の前提として、過去のリスクと現在のリスクを比較する「比較工程」が副次的フローとして挿入される場合には、「比較工程」用の処理ボックス１つの指定が受け付けられる。なお、挿入する副次的フローの種類として、処理ボックス以外に、例えば判断ボックスなどの指定が受け付けられ、また、同時に２つ以上の処理ボックスなどの指定が受け付けられるようにしてもよい。
【００２３】
ステップＳ５において、ＣＰＵ１１は、出力部１７を制御し、指定が受け付けられた種類および数の副次的フローを、選択が受け付けられた挿入先に挿入する。例えば図４に示されるように、ステップＳ２５とステップＳ２６の工程の間に、ステップＳ３１の工程の処理ボックスが副次的フローとして挿入される。
【００２４】
ステップＳ６において、ＣＰＵ１１は、挿入された副次的フローに記述するフローの内容情報の入力を、挿入された副次的フロー上にて受け付ける。例えば図５に示されるように、「過去のリスクと比較する」や「メカニズムに基づいてリスクを算出する」などのフローの内容情報の入力が副次的フロー（ステップＳ３１の工程の処理ボックス）上にて受け付けられる。
【００２５】
ステップＳ７において、ＣＰＵ１１は、出力部１７を制御し、フロー内容情報が記述された副次的フローの色調を、基本フローの色調と変えて表示させる。出力部１７は、ＣＰＵ１１の制御に従い、フロー内容情報が記述された副次的フローの色調を、基本フローの色調と変えて表示する。例えば基本フローの色調が黒色の場合、フロー内容情報が記述された副次的フローの色調は赤色に変えられて表示される。これにより、例えば電波設計に関する設計思考パターンに基づく基本フローに、新たに副次的フローが付加された場合に、既存の基本フローと新たな副次的フローとを区別して表示するとともに、設計者に新たに付加された副次的フローであることを容易に認識させることができる。なお、副次的フローと基本フローの色調を異なる色調にするようにしたが、副次的フローと基本フローとを区別することができさえすればよく、例えば書体や太さを変えるようにしてもよい。
【００２６】
ステップＳ８において、ＣＰＵ１１は、記憶部１８のデータベースに、新たな副次的フローを基本フローと関連付けて設計思考パターンに基づくフローとして記憶させる。その後、処理はステップＳ３に戻り、ステップＳ３以降の処理が繰り返し実行される。
【００２７】
一方、ステップＳ３においてＣＰＵ１１が副次的フローを挿入する挿入先の選択が受け付けられていないと判定した場合、ＣＰＵ１１はステップＳ９で、設計者により入力部１６が操作されることにより、設計思考パターンに基づくフロー作成処理を終了するとの指示が受け付けられたか否かを判定する。ステップＳ９においてＣＰＵ１１が設計思考パターンに基づくフロー作成処理を終了するとの指示が受け付けられていないと判定した場合、処理はステップＳ３に戻り、ステップＳ３以降の処理が繰り返し実行される。これにより、例えば図３のステップＳ２２乃至Ｓ２９までの工程の間に、必要に応じて新たな副次的フローが付加されて表示される。
【００２８】
ステップＳ９においてＣＰＵ１１が設計思考パターンに基づくフロー作成処理を終了するとの指示が受け付けられたと判定した場合、設計思考パターンに基づくフロー作成処理は終了する。
【００２９】
本発明の実施形態においては、設計思考パターンごとに予め作成された、設計思考パターンに基づく基本フローを記憶し、記憶部１８に記憶されている基本フローを表示し、基本フローに含まれる複数の工程のうちのいずれかの工程の前後に、副次的フローを挿入する際の挿入先の選択を受け付け、選択が受け付けられた挿入先に、副次的フローを挿入し、挿入された副次的フローに記述するフローの内容情報の入力を受け付け、フロー内容情報入力受付手段により入力が受け付けられたフロー内容情報が記述された副次的フローを、基本フローに関連付けて設計思考パターンに基づくフローとして記憶することができる。
【００３０】
これにより、この設計思考パターンに基づくフロー作成処理は、中堅設計者や熟練の設計者を含めた設計者が日々蓄積される設計知識を設計思考パターンとして概念化・一般化した上で記録していく場合に、設計思考パターンに基づくフローを簡単に作成し、作成されたフローを適切に記録することができる。従って、これまで一般的に曖昧でかつ表現し難いものであった設計知識を、日々の蓄積に応じて的確に整理するとともに、その後の設計行為において好適に再利用することが可能となる。
【００３１】
なお、図６のフローチャートに示されるように、ステップＳ４８にてＣＰＵ１１が、設計者により入力部１６が操作されることで、フロー作成基礎条件情報（例えばフロー作成日時や、製品内容、製品番号、測定方法、測定装置などに関する情報）の入力を受け付け、ステップＳ４９にてＣＰＵ１１が、記憶部１８のデータベースに、このフロー作成基礎条件情報とともに新たな副次的フローを基本フローと関連付けて記憶させるようにしてもよい。
【００３２】
なお、図２または図６のフローチャートを用いて作成された設計思考パターンに基づくフローを、他の設計者がこれまでに作成された既存のフロー例として再利用するようにしてもよい。特に、設計初心者は、熟練の設計者と異なり、このような設計思考パターンを蓄積できておらず、多くの場合、ＯＪＴを通じて設計思考パターンを蓄積していくが、熟練の設計者などによりすでに作成された既存のフローを参考にして再利用することで、最終的に製品として外在的または内在的に残る設計知識以外のものを、ノウハウとして設計初心者などに適切に承継することが可能となる。この方法を用いた設計思考パターンに基づくフロー作成処理は、図７のフローチャートに示されている。なお、図７のステップＳ６１、およびステップＳ６５乃至Ｓ７１の処理は、図２のステップＳ１およびＳ３乃至Ｓ９の処理と同様であり、その説明は繰り返しになるので適宜省略する。
【００３３】
図７に示されるように、ステップＳ６２において、ＣＰＵ１１は、設計者により入力部１６が操作されることにより、記憶部１８に記憶されている複数の設計思考パターンに基づくフローの中から、いずれかの設計思考パターンに基づくフローを検索するための検索項目情報（例えば設計者名やフロー作成日時、基本フローや副次的フローに記述されたフローの内容に含まれるキーワードなどに関する情報）の入力を受け付ける。ステップＳ６３において、ＣＰＵ１１は、入力が受け付けられた検索項目情報に基づいて、記憶部１８により記憶されている複数の前記設計思考パターンに基づくフローの中から、いずれかの前記設計思考パターンに基づくフローを検索し、ステップＳ６４で出力部１７を制御し、検索された設計思考パターンに基づくフローを表示する。このとき、フロー作成時点ですでに付加された副次的フローは、基本フローの色調（例えば黒色など）とは異なる色調（例えば赤色など）で表示される。このとき、例えばフロー作成基礎条件情報（例えばフロー作成日時や、製品内容、製品番号、測定方法、測定装置などに関する情報）も同時に表示するようにしてもよい。その後、処理はステップＳ６５に進み、ステップＳ６５以降の処理が実行される。なお、ステップＳ６９においてさらに新たに付加された副次的フローに関しては、既存の副次的フローと区別するため、例えば黄色などの異なる色調で表示されるようにしてもよいし、既存の副次的フローの色調と同じ赤色で表示するようにしてもよい。
【００３４】
これにより、設計初心者などが、他の設計者がこれまでに作成された既存のフロー例として有効に再利用することができ、全ての設計者間において設計思考パターンの共有化を好適に、かつ簡単に図ることができる。
【００３５】
ところで、設計初心者などが、他の設計者がこれまでに作成された既存のフロー例として有効に再利用し、全ての設計者間において設計思考パターンの共有化をより効率的に行うには、例えば図８に示されるように、作成された基本フローや既存フローをサーバ３３で管理し、そのサーバ３３にネットワーク３２（例えばＬＡＮやＷＡＮ、インターネットなどの種々のネットワーク）を介して各パーソナルコンピュータ１（設計者が保有するパーソナルコンピュータ１−１乃至１−ｎ）からアクセスし、基本フローや既存フローを利用するようにしてもよい。なお、図９は、本発明に係る情報管理装置に適用可能なサーバ３３の内部の構成を表しており、図１のパーソナルコンピュータ１の構成と基本的には同様であり、その説明は繰り返しになるので省略する。
【００３６】
図１０のフローチャートを参照して、図１のパーソナルコンピュータ１と図９のサーバ３３との間で実行される設計思考パターンに基づくフロー作成処理での、パーソナルコンピュータ１における処理について説明する。
【００３７】
ステップＳ８２において、ＣＰＵ１１は、通信部１９を制御し、基本フローの表示要求をサーバ３３にネットワーク３２を介して送信させる。通信部１９は、ＣＰＵ１１の制御に従い、基本フローの表示要求をサーバ３３にネットワーク３２を介して送信する。ステップＳ８３において、通信部１９は、ネットワーク３２を介して、基本フローに関するデータをサーバ３３から受信し、受信された基本フローに関するデータをＣＰＵ１１に供給する。その後、処理はステップＳ８４に進み、ステップＳ８４にて基本フローの表示処理が実行される。
【００３８】
そして、ステップＳ９０において、ＣＰＵ１１は、通信部１９を制御し、副次的フローと基本フローとを関連付けたデータとしてサーバ３３にネットワーク３２を介して送信させる。通信部１９は、ＣＰＵ１１の制御に従い、副次的フローと基本フローとを関連付けたデータとしてサーバ３３にネットワーク３２を介して送信する。
【００３９】
次に、図１１のフローチャートを参照して、図１のパーソナルコンピュータ１と図９のサーバ３３との間で実行される設計思考パターンに基づくフロー作成処理での、サーバ３３における処理について説明する。
【００４０】
ステップＳ１０１において、通信部４９は、ネットワーク３２を介して、基本フローの表示要求をパーソナルコンピュータ１から受信し、受信された基本フローの表示要求をＣＰＵ４１に供給する。ステップＳ１０２において、ＣＰＵ４１は、通信部４９から供給された基本フローの表示要求に従い、所定の基本フローを記憶部４８から読み出すとともに、通信部４９を制御し、読み出された基本フローに関するデータをパーソナルコンピュータ１にネットワーク３２を介して送信させる。通信部４９は、ＣＰＵ４１の制御に従い、読み出された基本フローに関するデータをパーソナルコンピュータ１にネットワーク３２を介して送信する。
【００４１】
ステップＳ１０３において、通信部４９は、ネットワーク３２を介して、副次的フローと基本フローとを関連付けたデータとしてパーソナルコンピュータ１から受信し、受信されたこれらのデータをＣＰＵ４１に供給する。ステップＳ１０４において、ＣＰＵ４１は、記憶部４８に、副次的フローと基本フローとを関連付けたデータを順次記憶させる。
【００４２】
なお、既存のフローを利用する場合におけるパーソナルコンピュータ１やサーバ３３での処理は、図１２および図１３のフローチャートに示されており、その説明は繰り返しになるので省略する。
【００４３】
これにより、多くの設計者が、これまで一般的に曖昧でかつ表現し難いものであった設計知識を、日々の蓄積に応じてより的確に整理するとともに、より多くの設計者が同時に、その後の設計行為においてより好適に再利用することが可能となる。
【００４４】
なお、本発明は、パーソナルコンピュータ１以外にも、ＰＤＡ（Personal Digital Assistant）、携帯型ゲーム機、携帯型音楽再生機、携帯型動画再生機、その他の情報処理装置にも適用することができる。
【００４５】
また、本発明の実施形態において説明した一連の処理は、ソフトウェアにより実行させることもできるが、ハードウェアにより実行させることもできる。
【００４６】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００４７】
【図１】本発明に係る情報処理装置に適用可能なパーソナルコンピュータの内部の構成を示すブロック図。
【図２】図１のパーソナルコンピュータにおける設計思考パターンに基づくフロー作成処理を説明するフローチャート。
【図３】図２の設計思考パターンに基づくフロー作成処理の際に用いられる設計思考パターンに基づく基本フローを示す図。
【図４】図２の設計思考パターンに基づくフロー作成処理の際に作成されるフローを示す図。
【図５】図２の設計思考パターンに基づくフロー作成処理の際に作成されるフローを示す図。
【図６】図１のパーソナルコンピュータにおける他の設計思考パターンに基づくフロー作成処理を説明するフローチャート。
【図７】図１のパーソナルコンピュータにおける設計思考パターンに基づくフロー作成処理を説明するフローチャート。
【図８】本発明に係るネットワークシステムの構成例を示す図。
【図９】図８のサーバの内部の構成を示すブロック図。
【図１０】図１のパーソナルコンピュータと図９のサーバとの間で実行される設計思考パターンに基づくフロー作成処理での、パーソナルコンピュータにおける処理を説明するフローチャート。
【図１１】図１のパーソナルコンピュータと図９のサーバとの間で実行される設計思考パターンに基づくフロー作成処理での、サーバにおける処理を説明するフローチャート。
【図１２】図１のパーソナルコンピュータと図９のサーバとの間で実行される設計思考パターンに基づくフロー作成処理での、パーソナルコンピュータにおける処理を説明するフローチャート。
【図１３】図１のパーソナルコンピュータと図９のサーバとの間で実行される設計思考パターンに基づくフロー作成処理での、サーバにおける処理を説明するフローチャート。
【符号の説明】
【００４８】
１…パーソナルコンピュータ、１１…ＣＰＵ、１２…ＲＯＭ、１３…ＲＡＭ、１４…バス、１５…入出力インタフェース、１６…入力部、１７…出力部、１８…記憶部、１９…通信部、２０…ドライブ、２１…磁気ディスク、２２…光ディスク、２３…光磁気ディスク、２４…半導体メモリ、３１…ネットワークシステム、３２…ネットワーク、３３…サーバ、４１…ＣＰＵ、４２…ＲＯＭ、４３…ＲＡＭ、４４…バス、４５…入出力インタフェース、４６…入力部、４７…出力部、４８…記憶部、４９…通信部、５０…ドライブ、５１…磁気ディスク、５２…光ディスク、５３…光磁気ディスク、５４…半導体メモリ。
【図１】
0005159331.tif 000002
【図２】
0005159331.tif 000003
【図３】
0005159331.tif 000004
【図４】
0005159331.tif 000005
【図５】
0005159331.tif 000006
【図６】
0005159331.tif 000007
【図７】
0005159331.tif 000008
【図８】
0005159331.tif 000009
【図９】
0005159331.tif 000010
【図１０】
0005159331.tif 000011
【図１１】
0005159331.tif 000012
【図１２】
0005159331.tif 000013
【図１３】
0005159331.tif 000014